(57)【特許請求の範囲】
【請求項１】
インクカートリッジに貯蔵されたインクをノズルを通して発射し、記録ヘッドにて記録媒体上に印字を行うインクジェット記録装置において、
前記インクカートリッジ内のインク残量を検出するインク残量検出手段と、
前記インク残量検出手段の検出に基づき、インクの交換を報知する報知手段と、
記録動作を禁止制御する禁止制御手段と、
前記インクカートリッジの装填部分に取り付けられた前記インクカートリッジを押さえる開閉可能なカートリッジ蓋を備えて前記インクカートリッジが搭載されるキャリッジと、
前記カートリッジ蓋の開閉状況を検出するインクカートリッジセンサと、
前記カートリッジ蓋が開かれてから再び閉められるまでの時間を計測する計時手段と、
前記カートリッジ蓋が開かれ所定時間経過後に閉められた場合に記録動作の禁止制御を解除する解除手段と、
を有することを特徴とするインクジェット記録装置。
【請求項２】
インクカートリッジに貯蔵されたインクをノズルを通して発射し、記録ヘッドにて記録媒体上に印字を行うインクジェット記録装置において、
前記インクカートリッジ内のインク残量を検出するインク残量検出手段と、
前記インク残量検出手段の検出に基づき、インクの交換を報知する報知手段と、
記録動作を禁止制御する禁止制御手段と、
前記インクカートリッジの装填部分に取り付けられた前記インクカートリッジを押さえる開閉可能なカートリッジ蓋を備えて前記インクカートリッジが搭載されるキャリッジと、
前記カートリッジ蓋の開閉状況を検出するインクカートリッジセンサと、
前記カートリッジ蓋が開かれてから再び閉められるまでの時間を計測する計時手段と、
前記キャリッジ上の前記インクカートリッジの有無を検出するカートリッジ検出手段と、
前記カートリッジ蓋が開かれ所定時間経過後に閉められた場合であって、前記カートリッジ検出手段にて前記インクカートリッジが検出された場合に、記録動作の禁止制御を解除する解除手段と、
を有することを特徴とするインクジェット記録装置。
【請求項３】
請求項２記載のインクジェット記録装置において、
前記インクカートリッジセンサと前記カートリッジ検出手段とは共通の部材で構成されていることを特徴とするインクジェット記録装置。
【発明の詳細な説明】
【０００１】
【発明の属する技術分野】
本発明は記録装置に関し、特に、インクカートリッジ交換動作におけるごまかしの発生を防止し得るインクジェット記録装置を提供することにある。
【０００２】
【背景技術】
プリンターやファクシミリにおける印字方式として、インクカートリッジに貯蔵されたインクを記録ヘッドから吐出して記録媒体上に記録するインクジェット方式が知られている。
【０００３】
このようなインクジェット方式の記録装置において、インクの残量が所定の量になった場合には、使用済みのインクカートリッジを装置から取り外し、新しいインクカートリッジと交換することによってインクを充填する。そして、インクカートリッジの交換が行われたか否かは、インクカートリッジの装填部分に取り付けられたインクカートリッジを押さえる蓋の開閉の有無をセンサで検出して判断していた。
【０００４】
【発明が解決しようとする課題】
しかしながら、インクジェット方式の記録装置を扱い慣れたユーザーの中には、インクカートリッジの交換時期を知らせるメッセージが記録装置に現れた場合に、インクカートリッジを押さえる蓋の開閉のみを行って印字を続行するというごまかしを行う者もいる。このようなごまかしが行われると、インクが完全に出なくなるまで印字が続行されるため、空打ち状態となる期間が発生し、記録ヘッドが痛みやすくなるという問題があった。
【０００５】
本発明は、上記問題を解決するためになされたものであり、その目的は、インクカートリッジ交換動作におけるごまかしの発生を防止し得るインクジェット記録装置を提供することにある。
【０００６】
【課題を解決するための手段】
上記目的を達成するために、請求項１記載のインクジェット記録装置は、インクカートリッジに貯蔵されたインクをノズルを通して発射し、記録ヘッドにて記録媒体上に印字を行うインクジェット記録装置において、前記インクカートリッジ内のインク残量を検出するインク残量検出手段と、前記インク残量検出手段の検出に基づき、インクの交換を報知する報知手段と、記録動作を禁止制御する禁止制御手段と、前記インクカートリッジの装填部分に取り付けられた前記インクカートリッジを押さえる開閉可能なカートリッジ蓋を備えて前記インクカートリッジが搭載されるキャリッジと、前記カートリッジ蓋の開閉状況を検出するインクカートリッジセンサと、前記カートリッジ蓋が開かれてから再び閉められるまでの時間を計測する計時手段と、前記カートリッジ蓋が開かれ所定時間経過後に閉められた場合に記録動作の禁止制御を解除する解除手段と、を有するものである。
【０００７】
請求項１記載のインクジェット記録装置によれば、禁止制御手段と、インクカートリッジセンサと、計時手段と、解除手段と、があることから、インクカートリッジ交換動作におけるごまかしの発生を防止することが可能となる。つまり、例えば、インクの交換が報知された場合に記録動作が禁止制御され、この禁止制御は、カートリッジ蓋が一旦開かれて所定時間経過後に閉められた場合でなければ解除されないことから、カートリッジ蓋の開閉のみを素早く行って印字を続行するというごまかしを行いにくい。
【０００８】
また、インク残量検出手段と、報知手段と、があることから、インクの交換時期をユーザーが知ることができる。
【０００９】
請求項２記載のインクジェット記録装置は、インクカートリッジに貯蔵されたインクをノズルを通して発射し、記録ヘッドにて記録媒体上に印字を行うインクジェット記録装置において、前記インクカートリッジ内のインク残量を検出するインク残量検出手段と、前記インク残量検出手段の検出に基づき、インクの交換を報知する報知手段と、記録動作を禁止制御する禁止制御手段と、前記インクカートリッジの装填部分に取り付けられた前記インクカートリッジを押さえる開閉可能なカートリッジ蓋を備えて前記インクカートリッジが搭載されるキャリッジと、前記カートリッジ蓋の開閉状況を検出するインクカートリッジセンサと、前記カートリッジ蓋が開かれてから再び閉められるまでの時間を計測する計時手段と、前記キャリッジ上の前記インクカートリッジの有無を検出するカートリッジ検出手段と、前記カートリッジ蓋が開かれ所定時間経過後に閉められた場合であって、前記カートリッジ検出手段にて前記インクカートリッジが検出された場合に、記録動作の禁止制御を解除する解除手段と、を有するものである。
【００１０】
請求項２記載のインクジェット記録装置によれば、カートリッジ蓋が所定時間経過後に閉められた場合であっても、キャリッジ上にインクカートリッジがない場合には記録動作の禁止制御が解除されない。このため、インクの空打ちを確実に防止することが可能となる。
【００１１】
請求項３記載のインクジェット記録装置は、請求項２記載のインクジェット記録装置において、前記インクカートリッジセンサと前記カートリッジ検出手段とは共通の部材で構成されているものである。
【００１２】
請求項３記載のインクジェット記録装置によれば、インクカートリッジセンサとカートリッジ検出手段とが共通の部材で構成されていることから、必要な部品点数を少なくすることができる。このため、構成の簡易化及びコストの低減化を図ることが可能となる。
【００１３】
【発明の実施の形態】
次に、本発明にかかるインクジェット記録装置を、ファクシミリ装置に適用した場合を例として、図面を参照しつつ説明する。
【００１４】
まず、図２に、本実施形態に係るファクシミリ装置の外観斜視図を示す。
【００１５】
図２において、ファクシミリ装置１０は、本体１２と、この本体１２の左側部に設置された受話器２８からなる。この受話器２８は、図示しないコードによって本体１２に接続されている。また、本体１２の上面の前部には、開閉可能な上蓋１２ａが設けられ、この上蓋１２ａの表面に、キー入力部１６、ＬＥＤ１７およびＬＣＤ１８が設けられている。一方、本体１２の上面の後部には、原稿挿入口２０が設けられ、ここから挿入された原稿は、本体１２内部のスキャナ５３（図３参照）にて読取られた後、本体１２の前面であって上蓋１２ａの下方に設けられた原稿排出口１４から排出される。原稿挿入口２０の後部には、複数枚の記録紙を積層収納可能な記録紙ホルダ２４が着脱可能に取り付けられている。そして、記録紙ホルダ２４から供給され、記録部１００（図３参照）にて印字された記録紙は、原稿排出口１４の下方に設けられた記録紙排出口２２から排出される。
【００１６】
図３は、本体１２の内部の要部を概略的に示す縦断面図である。
【００１７】
図３において、本体１２の内部には、上蓋１２ａの下方にスキャナ５３が設置され、ほぼ中央部にインクジェット式の記録部１００が収納されている。また、底部には、図示しない制御基板が設置されている。
【００１８】
ここで、スキャナ５３は、周知の技術により構成されている。一方、記録部１００は、開閉可能なカートリッジ蓋１０４を備えるキャリッジ１０２と、このキャリッジ１０２に装着された記録ヘッド１０６と、キャリッジ１０２に搭載されるインクカートリッジ１０８と、を含む。そして、キャリッジ１０２は、本体１２の内部に固定されたシャーシフレーム２００と、このシャーシフレーム２００に装架された丸軸状のガイド軸２０２により、ガイド軸２０２の軸方向に沿って移動可能に支持されている。
【００１９】
なお、この記録部１００には、上述の構成のほか、ローラー等の記録用紙を移動させるための構成や、キャリッジ１０２を駆動するための図示しない駆動モータや、記録ヘッド１０６のメンテナンスを行うための図示しないメンテナンス部や、インクカートリッジ内のインク残量を検出するための図示しないインク残量検出部等が含まれる。これらの図示しない駆動モータ、メンテナンス部、インク残量検出部等は、周知技術を用いて構成されている。
【００２０】
図４は、キャリッジ１０２の概略的な構成を示す縦断面図である。なお、この図４は、インクカートリッジ１０８が搭載されていない状態を示している。
【００２１】
図４において、キャリッジ１０２は、インクカートリッジ１０８搭載用の空間を形成する略箱状の搭載部１０２ａと、この搭載部１０２ａをシャーシフレーム２００等に取り付けるため、搭載部１０２ａの一側部に一体的に形成された取り付け部１０２ｂと、搭載されたインクカートリッジ１０８を保持するため、第１の取り付け軸２０４を介して取り付け部１０２ｂに開閉可能に取り付けられたカートリッジ蓋１０４を有する。
【００２２】
また、カートリッジ蓋１０４には、第１の取り付け軸２０４の取り付け位置の下方において、第２の取り付け軸２０６を介してセンサ片１０５が取り付けられている。
【００２３】
このセンサ片１０５は、中間部が鈍角をなして屈曲した略棒状の部材であり、一方の端部１０５ａが搭載部１０２ａの内部空間側に突出し、他方の端部１０５ｂが搭載部１０２ａの外側に突出した状態で、第２の取り付け軸２０６を中心に回動可能に取り付けられる。また、このセンサ片１０５は、インクカートリッジ１０８を未搭載の状態でカートリッジ蓋１０４を閉めた場合に、インクカートリッジ１０８が搭載された場合におけるインクカートリッジ１０８の上面位置よりも、端部１０５ａが下方に位置するように設定される。このため、インクカートリッジ１０８が搭載部１０２ａに搭載されると、インクカートリッジ１０８の上面により端部１０５ａが押し上げられ、これに連動して、他方の端部１０５ｂが下方に移動する。
【００２４】
一方、センサ片１０５の端部１０５ｂの下方には、上下動可能な棒状のセンサスイッチ１０３が設けられている。このセンサスイッチ１０３は、その上端部が、センサ片１０５の端部１０５ｂの移動経路上に位置し、端部１０５ｂが下がった場合に押し下げられ、端部１０５ｂが上がった場合に自動的に元の突出高さに戻るように構成されている。そして、このセンサスイッチ１０３の状況は、後述するＣＰＵ３２（図５参照）により検出され、これに基づいてカートリッジ蓋１０４の開閉状況及びインクカートリッジ１０８の有無が判断される。
【００２５】
なお、カートリッジ蓋１０４の端部には、センサ片１０５の端部１０５ｂを上から係止可能な位置に、突起状のストッパ１０４ｂが形成されている。これにより、カートリッジ蓋１０４を開く際に、カートリッジ蓋１０４の動きにセンサ片１０５の動きを確実に連動させて、センサスイッチ１０３から端部１０５ｂをはずすことが可能となる。
【００２６】
記録ヘッド１０６は、カラー印刷を実行するため、ブラック、シアン、マゼンダ、イエローのインクをそれぞれ吐出する４つのノズル１０６ａを有して、搭載部１０２ａの底部に設置される。インクカートリッジ１０８（図３参照）は、各色ごとに用意され、記録ヘッド１０６の各ノズル１０６ａに対応させてキャリッジ１０２に搭載される。
【００２７】
なお、カートリッジ蓋１０４は、４つのインクカートリッジ１０８のそれぞれに対応させて４つ設けられ、個別に開閉可能に構成されている。そして、センサ片１０５及びセンサスイッチ１０３は、各カートリッジ蓋１０４に対応させて設けられている。また、本実施形態では、記録ヘッド１０６に上述したインク残量検出部が接続され、カラーインクについてはインクの発射数をカウントし、ブラックインクについては、発射数カウントと、センサによる実際の残量検出とを併せて行うように構成されている。
【００２８】
このようなファクシミリ装置１０は、図５のブロック図に示されるような電気的構造を有する。つまり、ＣＰＵ３２、ＲＯＭ３４、ＥＥＰＲＯＭ３６、ＲＡＭ３８、画像メモリ４０、音声メモリ４２、上蓋センサ４４、計時部４５、ネットワーク・コントロール・ユニット（以下「ＮＣＵ」という）４６、モデム４８、バッファ５０、スキャナ５３、符号化部５４、復号化部５６、記録部１００、キー入力部１６、ＬＥＤ１７、ＬＣＤ１８及びアンプ６０が設けられ、システムバス３０を介して互いに接続されている。また、ＮＣＵ４６には、受話器２８及び電話回線６４が接続される他、モデム４８も接続され、アンプ６０にはスピーカ２６が接続されている。
【００２９】
より詳しくは、ＣＰＵ３２は、システムバス３０を介して接続された各部を制御する。このＣＰＵ３２にて実行される制御プログラム及びこの制御プログラムの実行に必要な各種のデータは、ＲＯＭ３４、ＥＥＰＲＯＭ３６に格納される。
【００３０】
ここで、ＲＯＭ３４に格納される制御プログラムとしては、電話機能、ファクシミリ機能、コピー機能の各機能を実行するための実行プログラム、短縮ダイヤルプログラム、インク残量検出プログラム、インク交換報知プログラム、記録動作制御プログラム等がある。また、例えばインクの交換を報知するか否かの判断基準となるインク残量データのように、プログラムの実行時にＣＰＵ３２にて参照されるデータも、ＲＯＭ３４に格納される。ＥＥＰＲＯＭ３６には、短縮ダイヤルデータ、インクカートリッジの交換を報知するためのメッセージその他各種のメッセージを出力するためのデータ等が格納され、ＲＡＭ３８には、ＣＰＵ３２による動作実行時の各種データが一時的に格納される。画像メモリ４０は、通信履歴、画像データ及び印刷のためのビットイメージを記憶し、音声メモリ４２は、相手側装置へ送出される応答メッセージや、相手側装置から送られてきた入来メッセージを記憶する。ＮＣＵ４６は、電話回線６４，６６及び交換機６２を介して接続される図示しない相手側装置との間の信号の送受信を行い、計時部４５は時間を計測する。モデム４８は、ＮＣＵ４６にて送受信される画像データや音声データ等の通信データの変調・復調を行う。バッファ５０は、相手側装置との間で送受信される符号化された画像情報を含むデータを一時的に記憶する。スキャナ５３は、原稿挿入口２０に挿入された原稿の読み取り面に記された文字・図形を、画像データとして読みとり、符号化部５４は、スキャナ５３が読みとった画像データを符号化する。一方、復号化部５６は、バッファ５０又は画像メモリ４０に記憶された画像データを読み出して、これを復号化する。記録部１００は、この復号化されたデータを記録紙に印刷する。キー入力部１６は、テンキーや機能キーを含み、これらのキーによって各種の設定操作や電話番号入力操作等を行うことを可能とする。アンプ６０は、スピーカ２６にて鳴動音や通話音声として出力されるべき音声信号を増幅し、上蓋センサ４４は、上蓋１２ａの開閉状況を検出する。
【００３１】
図１は、このようなファクシミリ装置１０におけるインクカートリッジ１０８交換時の処理手順を示すフローチャートである。なお、図１の説明に際しては、図２〜図５を適宜参照する。
【００３２】
まず、図示しないインク残量検出部により、インクカートリッジ１０８内のインク残量が検出され（Ｓ１）、所定のインク残量であるか否かが判断される（Ｓ２）。この判断は、インク残量検出部の検出結果及びＲＯＭ３４に格納されたインク残量データに基づいて、ＣＰＵ３２が各色ごとに行う。
【００３３】
ここで、所定の残量になっていないと判断された場合には（Ｓ２：ＮＯ）、Ｓ１に戻る。所定の残量であると判断された場合には（Ｓ２：ＹＥＳ）、インクの交換報知及び記録動作の禁止制御が行われる（Ｓ３）。インク交換報知は、具体的には、ＲＯＭ３４に格納されたインク交換報知プログラムに基づき、ＣＰＵ３２の制御に従って、ＬＥＤ１７が点灯される。併せて、例えば「シアンが残り少なくなってます」のように、どの色のインクカートリッジ１０８を交換すべきかを示すメッセージがＬＣＤ１８に表示される。また、記録動作の禁止制御は、ＲＯＭ３４に格納された記録動作制御プログラムに基づき、ＣＰＵ３２によって行われる。
【００３４】
次いで、カートリッジ蓋１０４が開かれたか否かが判断される（Ｓ４）。この判断は、上述のように、センサスイッチ１０３の状況に基づいてＣＰＵ３２が行う。具体的には、インクカートリッジ１０８が搭載されているために押し下げられていたセンサスイッチ１０３が元の突出高さに戻った場合に、カートリッジ蓋１０４が開かれたと判断される（Ｓ４：ＹＥＳ）。センサスイッチ１０３が押し下げられたままの場合は、カートリッジ蓋１０４が開いていないと判断される（Ｓ４：ＮＯ）。
【００３５】
カートリッジ蓋１０４が開いたと判断された場合は（Ｓ４：ＹＥＳ）、次に、カートリッジ蓋１０４が開いてから所定時間経過後に閉められたか否かが判断される（Ｓ５）。具体的には、センサスイッチ１０３が再び押し下げられたか否かによって、カートリッジ蓋１０４が閉められたかが判断される。また、閉められるまでの時間については、計時部４５の計測結果及びＲＯＭ３４に格納されたプログラムに基づいて、ＣＰＵ３２が判断する。そして、所定時間経過後にセンサスイッチ１０３が押し下げられた場合に、肯定的な判断がなされ（Ｓ５：ＹＥＳ）、Ｓ６に進む。なお、この所定時間は、インクカートリッジ１０８の交換動作を行うために合理的な範囲内で任意に設定することができる。たとえば、本実施形態では、この所定時間として３秒が設定されている。
【００３６】
Ｓ６では、インクカートリッジ１０８の有無が判断される。ここで、インクカートリッジ１０８の有無は、センサスイッチ１０３の押し下げられた状態が維持されているか否かに基づいて判断される。つまり、センサスイッチ１０３は押し下げられたままの場合には、インクカートリッジ１０８があると判断され（Ｓ６：ＹＥＳ）、一旦押し下げられたセンサスイッチ１０３が再び元の突出高さまで戻った場合には（図４参照）、インクカートリッジ１０８が搭載されていないと判断される（Ｓ６：ＮＯ）。
【００３７】
そして、インクカートリッジ１０８があると判断された場合には（Ｓ６：ＹＥＳ）、ＬＥＤ１７の光及びＬＣＤ１８上に表示されたメッセージが消えるとともに、記録動作の禁止制御が解除され（Ｓ７）、記録ヘッド１０６のクリーニング等のメンテナンス動作が行われて（Ｓ８）処理が終了する。インクカートリッジ１０８が搭載されていないと判断された場合には（Ｓ６：ＮＯ）、Ｓ４の判断に戻る。
【００３８】
このように、本実施形態では、インクカートリッジ１０８内のインクが一旦所定の残量に達した場合には、カートリッジ蓋１０４が開いてから所定時間経過後に閉められた場合でなければ、記録動作の禁止制御が解除されない。このため、インクカートリッジ１０８を交換せずに、カートリッジ蓋１０４の開閉のみを素早く行って印字を続行する、というごまかしを行いにくい。したがって、インクカートリッジ１０８内のインクが完全になくなるまで記録動作が行われた場合に生ずる「インクの空打ち」によって、記録ヘッド１０６が損傷することを防止しやすくなる。
【００３９】
また、所定時間経過後にカートリッジ蓋１０４が閉められた場合であっても、インクカートリッジ１０８が未搭載の場合には、記録動作の禁止制御が解除されない。このため、空打ちによる記録ヘッド１０６の損傷を確実に防止することができる。
【００４０】
そして、インク残量が報知されることから、インクの適切な交換時期をユーザーが知ることができる。
【００４１】
さらに、本実施形態では、センサ片１０５及びセンサスイッチ１０３によって、カートリッジ蓋１０４の開閉の有無と、インクカートリッジ１０８の搭載・未搭載の両方を検出できることから、部材点数が少なくて済み、構成も簡単となる。このため、構成の簡易化によりコストの低減化を図ることが可能となる。
【００４２】
なお、本実施形態では、図示しないインク残量検出部がインク残量検出手段に相当し、ＬＣＤ１７及びＬＥＤ１８が報知手段に相当する。そして、ＣＰＵ３２が、禁止制御手段及び解除手段に相当する。さらに、センサ片１０５及びセンサスイッチ１０３が一体となって、インクカートリッジセンサ及びカートリッジ検出手段に相当し、計時部４５が計時手段に相当する。
【００４３】
本発明の実施の形態は上述の例に限定されるものではなく、種々の変形が可能である。例えば、ファクシミリ機能やコピー機能などを持たない単なるインクジェット式のプリンタに、本発明を適用することができる。また、インクカートリッジセンサ及びカートリッジ検出手段は、別個独立に設けてもよいし、カートリッジ蓋の開閉やインクカートリッジの有無を確実に検出できる限り他の構成としてもよい。さらに、本実施形態ではカートリッジ蓋をキャリッジに備えているが、インクカートリッジ自体にカートリッジ蓋を備える構成としてもよい。あるいは、インクの交換を音によって報知する構成としてもよい。
【００４４】
【発明の効果】
請求項１記載のインクジェット記録装置によれば、禁止制御手段と、インクカートリッジセンサと、計時手段と、解除手段と、があることから、インクカートリッジ交換動作におけるごまかしの発生を防止することが可能となる。つまり、例えば、インクの交換が報知された場合に記録動作が禁止制御され、この禁止制御は、カートリッジ蓋が一旦開かれて所定時間経過後に閉められた場合でなければ解除されないことから、カートリッジ蓋の開閉のみを素早く行って印字を続行するというごまかしを行いにくい。
【００４５】
請求項２記載のインクジェット記録装置によれば、カートリッジ蓋が所定時間経過後に閉められた場合であっても、キャリッジ上にインクカートリッジがない場合には記録動作の禁止制御が解除されない。このため、インクの空打ちを確実に防止することが可能となる。
【００４６】
請求項３記載のインクジェット記録装置によれば、インクカートリッジセンサとカートリッジ検出手段とが共通の部材で構成されていることから、必要な部品点数を少なくすることができる。このため、構成の簡易化及びコストの低減化を図ることが可能となる。
【図面の簡単な説明】
【図１】  本実施形態におけるインクカートリッジ１０８交換時の処理手順を示すフローチャートである。
【図２】  本実施形態に係るファクシミリ装置の外観斜視図である。
【図３】  本体１２の内部の要部を概略的に示す縦断面図である。
【図４】  キャリッジ１０２の概略的な構成を示す縦断面図である。
【図５】  本実施形態の電気的構成を示すブロック図である。
【符号の説明】
１０  ファクシミリ装置（インクジェット記録装置）
１７  ＬＥＤ（報知手段）
１８  ＬＣＤ（報知手段）
３２  ＣＰＵ（禁止制御手段、解除手段）
４５  計時部（計時手段）
１０２  キャリッジ
１０４  カートリッジ蓋
１０６  記録ヘッド
１０３  センサスイッチ（インクカートリッジセンサ、カートリッジ検出手段）
１０５  センサ片（インクカートリッジセンサ、カートリッジ検出手段）
【図１】
0004359723.tif 000002
【図２】
0004359723.tif 000003
【図３】
0004359723.tif 000004
【図４】
0004359723.tif 000005
【図５】
0004359723.tif 000006